【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
磁性粒子を含有する磁性層を含む素体と、
前記素体に内蔵された第１コイルおよび第２コイルと、
前記素体の表面に設けられ、前記第１コイルおよび前記第２コイルの端部のいずれか１つにそれぞれ電気的に接続された第１外部電極、第２外部電極、第３外部電極および第４外部電極と
を有してなる積層型コイルアレイであって、
前記第１コイルと前記第２コイルとの間に非磁性層が設けられており、
前記第１コイルおよび前記第２コイルはそれぞれ、複数のコイル導体が積層方向に連結されてなり、
前記第１コイルの前記複数のコイル導体のうち最も前記第２コイルに近いコイル導体、および前記第２コイルの前記複数のコイル導体のうち最も前記第１コイルに近いコイル導体の少なくとも一方が、前記非磁性層に接しており、
前記非磁性層に接しているコイル導体を構成するコイル導体層のうち、前記非磁性層に接しているコイル導体層の長さは、他のコイル導体層の長さと異なる、積層型コイルアレイ。
【請求項２】
前記非磁性層に接しているコイル導体を構成するコイル導体層のうち、前記非磁性層に接しているコイル導体層の長さは、他のコイル導体層の長さよりも短い、請求項１に記載の積層型コイルアレイ。
【請求項３】
前記第１コイルの前記複数のコイル導体、および前記第２コイルの前記複数のコイル導体のうち隣接するコイル導体間の少なくとも１か所に非磁性部が設けられている、請求項１または２に記載の積層型コイルアレイ。
【請求項４】
前記非磁性層および前記非磁性部は同じ組成を有する、請求項３に記載の積層型コイルアレイ。
【請求項５】
前記非磁性層および前記非磁性部は、Ｚｎ−Ｃｕ系フェライトで構成される、請求項４に記載の積層型コイルアレイ。
【手続補正２】
【補正対象書類名】明細書
【補正対象項目名】０００７
【補正方法】変更
【補正の内容】
【０００７】
本発明者らは、非磁性層に接しているコイル導体を構成するコイル導体層のうち、非磁性層に接しているコイル導体層の長さを、他のコイル導体層の長さと異なる長さにすることにより、隣り合うコイル間の短絡を抑制しつつ、コイルの結合係数を所望の値に制御することができることを見出し、本願発明を完成させるに至った。
【手続補正３】
【補正対象書類名】明細書
【補正対象項目名】０００８
【補正方法】変更
【補正の内容】
【０００８】
本発明の一の要旨によれば、磁性粒子を含有する磁性層を含む素体と、
素体に内蔵された第１コイルおよび第２コイルと、
素体の表面に設けられ、第１コイルおよび第２コイルの端部のいずれか１つにそれぞれ電気的に接続された第１外部電極、第２外部電極、第３外部電極および第４外部電極と
を有してなる積層型コイルアレイであって、
第１コイルと第２コイルとの間に非磁性層が設けられており、
第１コイルおよび第２コイルはそれぞれ、複数のコイル導体が積層方向に連結されてなり
第１コイルの複数のコイル導体のうち最も第２コイルに近いコイル導体、および第２コイルの複数のコイル導体のうち最も第１コイルに近いコイル導体の少なくとも一方が、非磁性層に接しており、
非磁性層に接しているコイル導体を構成するコイル導体層のうち、非磁性層に接しているコイル導体層の長さは、他のコイル導体層の長さと異なる、積層型コイルアレイが提供される。
【手続補正４】
【補正対象書類名】明細書
【補正対象項目名】００１７
【補正方法】変更
【補正の内容】
【００１７】
（非磁性層）
本実施形態に係る積層型コイルアレイ１において、素体２は、磁性層２１に加えて非磁性層２２を含む。非磁性層２２は、後述するように、第１コイル３１と第２コイル３２との間に設けられる。非磁性層２２を設けることにより、第１コイル３１と第２コイル３２との間の絶縁性を高めることができ、両者の間で短絡が発生するのを抑制することができる。非磁性層２２は、非磁性材料として、ガラスセラミック材料および非磁性フェライト材料等を含んでよい。非磁性層２２は、非磁性材料として非磁性フェライト材料を含むことが好ましい。非磁性フェライト材料としては、ＦｅがＦｅ２Ｏ３に換算して４０ｍｏｌ％以上４９．５ｍｏｌ％以下、ＣｕがＣｕＯに換算して６ｍｏｌ％以上１２ｍｏｌ％以下、残部がＺｎＯである組成を有する非磁性フェライト材料を用いることができる。非磁性材料は、必要に応じて添加物としてＭｎ３Ｏ４、Ｃｏ３Ｏ４、ＳｎＯ２、Ｂｉ２Ｏ３およびＳｉＯ２等が添加されていてよく、微量な不可避不純物を含有していてもよい。非磁性層２２は、好ましくはＺｎ−Ｃｕ系フェライトを含有する。
【手続補正５】
【補正対象書類名】明細書
【補正対象項目名】００２５
【補正方法】変更
【補正の内容】
【００２５】
非磁性層２２に接しているコイル導体を構成するコイル導体層のうち、非磁性層２２に接しているコイル導体層の長さは、他のコイル導体層の長さよりも短いことが好ましい。非磁性層２２に接しているコイル導体層の長さを短くし、コイル導体層が存在しない領域を磁性層で充填することにより、第１のコイルと第２のコイルの結合係数を向上させることができる。
【手続補正６】
【補正対象書類名】明細書
【補正対象項目名】００３８
【補正方法】変更
【補正の内容】
【００３８】
（非磁性材料）
非磁性材料として、ガラスセラミック材料および非磁性フェライト材料等を用いることができるが、非磁性フェライト材料を用いることが好ましい。非磁性フェライト材料としては、ＦｅがＦｅ２Ｏ３に換算して４０ｍｏｌ％以上４９．５ｍｏｌ％以下、ＣｕがＣｕＯに換算して６ｍｏｌ％以上１２ｍｏｌ％以下、残部がＺｎＯである組成を有する非磁性フェライト材料を用いることができる。非磁性材料は、必要に応じて添加物としてＭｎ３Ｏ４、Ｃｏ３Ｏ４、ＳｎＯ２、Ｂｉ２Ｏ３およびＳｉＯ２等が添加されていてよく、微量な不可避不純物を含有していてもよい。
【手続補正７】
【補正対象書類名】明細書
【補正対象項目名】００４１
【補正方法】変更
【補正の内容】
【００４１】
Ａｇ粉末を準備し、所定量の溶剤（オイゲノール（４−アリル−２−メトキシフェノール）等）、樹脂（エチルセルロース等）、および分散剤を加えて混錬することにより、導電性ペーストを調製する。ここで、Ａｇ粉末の平均粒径（体積基準のメジアン径Ｄ５０）は、１μｍ以上１０μｍ以下であることが好ましい。第１コイル３１および第２コイル３２ならびに第１〜第４外部電極４０１〜４０４は、同じ導電性ペーストを用いて形成してよいが、異なる組成を有する導電性ペーストを用いて形成してもよい。
【手続補正８】
【補正対象書類名】明細書
【補正対象項目名】００５２
【補正方法】変更
【補正の内容】
【００５２】
なお、図３Ａ〜３Ｓに示す製造例においては、第１コイル３１を構成するコイル導体層、および第２コイル３２を構成するコイル導体層の両方の長さを、他のコイル導体層の長さと異なる長さにしているが、この構成は必須ではなく、第１コイル３１を構成するコイル導体層および第２コイル３２を構成するコイル導体層の少なくとも一方の長さが、他のコイル導体層の長さと異なっていればよい。
【手続補正９】
【補正対象書類名】明細書
【補正対象項目名】００７１
【補正方法】変更
【補正の内容】
【００７１】
本発明は以下の態様を含むが、これらの態様に限定されるものではない。
（態様１）
磁性粒子を含有する磁性層を含む素体と、
素体に内蔵された第１コイルおよび第２コイルと、
素体の表面に設けられ、第１コイルおよび第２コイルの端部のいずれか１つにそれぞれ電気的に接続された第１外部電極、第２外部電極、第３外部電極および第４外部電極と
を有してなる積層型コイルアレイであって、
第１コイルと第２コイルとの間に非磁性層が設けられており、
第１コイルおよび第２コイルはそれぞれ、複数のコイル導体が積層方向に連結されてなり、
第１コイルの複数のコイル導体のうち最も第２コイルに近いコイル導体、および第２コイルの複数のコイル導体のうち最も第１コイルに近いコイル導体の少なくとも一方が、非磁性層に接しており、
非磁性層に接しているコイル導体を構成するコイル導体層のうち、前記非磁性層に接しているコイル導体層の長さは、他のコイル導体層の長さと異なる、積層型コイルアレイ。
【手続補正１０】
【補正対象書類名】明細書
【補正対象項目名】００７２
【補正方法】変更
【補正の内容】
【００７２】
（態様２）
非磁性層に接しているコイル導体を構成するコイル導体層のうち、前記非磁性層に接しているコイル導体層の長さは、他のコイル導体層の長さよりも短い、態様１に記載の積層型コイルアレイ。